【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
被検体の生命兆候情報を判断するための装置であって、前記装置は、
被検体の皮膚領域を透過または反射されて検出された電磁放射線から引き出される少なくとも２つの検出信号（Ｃ）を獲得するための入力インターフェイスであり、各検出信号は、異なる波長チャネルにおける波長依存性の反射または透過情報を含んでいる、入力インターフェイスと、
少なくとも２つの第１帯域幅制限検出信号（Ｃｆ１）を獲得するように、第１フィルタを用いて前記少なくとも２つの検出信号（Ｃ）をフィルタするための第１フィルタユニットと、
重み付け（ｗ）を計算するための重み付け計算ユニットであり、前記少なくとも２つの第１帯域幅制限検出信号（Ｃｆ１）に係る重み付けされた結合に適用された場合に、低減された歪みを有する第１生命兆候信号（Ｓ１）を結果として生じる、重み付け計算ユニットと、
前記第１生命兆候信号（Ｓ１）とは異なる第２生命兆候信号（Ｓ２）を計算するための生命兆候信号計算ユニットであり、
前記第１帯域幅制限検出信号（Ｃｆ１）であり、前記第２生命兆候信号（Ｓ２）の周波数範囲を含む場合には、前記計算された重み付け（ｗ）を使用して、前記少なくとも２つの第１帯域幅制限検出信号（Ｃｆ１）の重み付けされた結合として前記第１生命兆候信号（Ｓ１）を計算し、かつ、前記第２生命兆候信号（Ｓ２）を獲得するために前記装置の第２フィルタユニットを用いて前記計算された第１生命兆候信号（Ｓ１）をフィルタするもの、または、そうでなければ、
前記計算された重み付け（ｗ）を使用する、少なくとも２つの第２帯域幅制限検出信号（Ｃｆ２）の重み付けされた結合であり、前記第２帯域幅制限検出信号は、前記装置のさらなる第２フィルタユニットを用いて前記少なくとも２つの検出信号（Ｃ）をフィルタすることによって獲得され、前記第１帯域幅制限検出信号（Ｃｆ１）とは異なるように帯域幅が制限されており、かつ、前記第２生命兆候信号（Ｓ２）の周波数範囲を含んでいるもの、
のいずれかを使用して計算する、
生命兆候信号計算ユニットと、
前記第２生命兆候信号（Ｓ２）から生命兆候情報を最終的に判断するための、生命兆候判断ユニットと、
を含む、装置。
【請求項２】
前記第１フィルタユニットは、被検体の脈拍に係る周波数範囲を少なくとも通過させ、かつ、ＤＣ成分を抑圧する、
ように構成されている、請求項１に記載の装置。
【請求項３】
前記第１フィルタユニットは、被検体の呼吸信号、及び／又は、マイヤー波に係る周波数範囲を追加的に通過させる、
ように構成されている、請求項２に記載の装置。
【請求項４】
前記重み付け計算ユニットは、
前記重み付けされた結合が、可能な限り密接に、既定のベクトルに対応する個々の検出信号との共分散を有し、
強度変動と鏡面反射が抑圧され、または、
検出チャネルにおける独立信号を特定するためにデミキシング行列が計算され、かつ、第２基準を使用して独立信号から生命兆候信号が選択される、
ように、重み付け（ｗ）を計算する、
ように構成されている、請求項１に記載の装置。
【請求項５】
前記生命兆候信号計算ユニットは、前記計算された重み付け（ｗ）を使用して、前記少なくとも２つの第２帯域幅制限検出信号（Ｃｆ２）の重み付けされた結合により、前記第２生命兆候信号（Ｓ２）を計算する、
ように構成されている、請求項１に記載の装置。
【請求項６】
前記第２フィルタユニットは、少なくとも被検体の呼吸信号、及び／又は、マイヤー波に係る周波数範囲を通過させ、かつ、少なくとも被検体のパルス信号に係る周波数範囲を抑圧する、
ように構成されている、請求項１に記載の装置。
【請求項７】
前記生命兆候信号計算ユニットは、前記計算された重み付け（ｗ）を使用して、前記少なくとも２つの第１帯域幅制限検出信号（Ｃｆ１）の重み付け結合により、第１生命兆候信号（Ｓ１）を計算する、ように構成されており、かつ、
前記装置は、さらに、
ゲイン（Ｇ）を獲得するように、前記第１生命兆候信号（Ｓ１）の特性を検出するため、特には、前記第１生命兆候信号（Ｓ１）の周波数領域表現におけるピーク検出及び／又は時間領域表現における振幅または標準偏差の検出のための特性検出器と、
前記ゲイン（Ｇ）を用いて前記第２生命兆候信号（Ｓ２）を乗算するための乗算ユニットと、
を含む、請求項１に記載の装置。
【請求項８】
前記装置は、さらに、数多くの第２生命兆候信号（Ｓ２）を計算するように構成されており、それぞれ前記被検体の異なる皮膚領域を透過または反射されて検出された電磁放射線から引き出される少なくとも２つの検出信号（Ｃ）の異なるセットからのものであり、かつ、
前記生命兆候判断ユニットは、前記数多くの第２生命兆候信号（Ｓ２）の結合から前記生命兆候情報を判断する、ように構成されている、
請求項１に記載の装置。
【請求項９】
前記入力インターフェイスは、前記被検体の異なる皮膚領域を透過または反射されて検出された電磁放射線から引き出される少なくとも２つの検出信号（Ｃ）の異なるセットを獲得するように構成されており、
前記重み付け計算ユニットは、少なくとも２つの検出信号（Ｃ）のセット毎に重み付け（ｗ）を計算する、ように構成されており、
前記生命兆候信号計算ユニットは、
少なくとも２つの検出信号（Ｃ）のそれぞれのセットに係る前記計算された重み付け（ｗ）を使用して、前記少なくとも２つの第１帯域幅制限検出信号（Ｃｆ１）の重み付け結合により、第１予備生命兆候信号を、少なくとも２つの検出信号（Ｃ）のセット毎に、計算し、かつ、
少なくとも２つの検出信号（Ｃ）の異なるセットについて計算された前記第１予備生命兆候信号を結合することにより、前記第１生命兆候信号（Ｓ１）を計算する、
ように構成されている、
請求項１に記載の装置。
【請求項１０】
前記重み付け計算ユニットは、
前記第１生命兆候信号（Ｓ１）の振幅、前記第１生命兆候信号（Ｓ１）の標準偏差、または、前記第１生命兆候信号（Ｓ１）の周波数領域表現における、特にはピーク周りの小さな周波数範囲のピークまたはＲＭＳ値における特性が、時間にわたり一定であるように、前記計算において使用されるゲインを設定することによって、重み付け（ｗ）を計算する、
ように構成されている、請求項１に記載の装置。
【請求項１１】
被検体の生命兆候情報を判断するためのシステムであって、前記システムは、
被検体の皮膚領域を透過または反射された電磁放射線を検出し、かつ、前記検出された電磁放射線から少なくとも２つの検出信号（Ｃ）を引き出すための検出器であり、各検出信号は、異なる波長チャネルにおける波長依存性の反射または透過情報を含んでいる、検出器と、
引き出された前記少なくとも２つの検出信号（Ｃ）から呼吸情報を判断するための、請求項１に記載の装置と、
を含む、システム。
【請求項１２】
コンピュータまたは請求項１に記載の装置によって被検体の生命兆候情報を判断するための方法であって、前記方法は、
被検体の皮膚領域を透過または反射されて検出された電磁放射線から引き出される少なくとも２つの検出信号（Ｃ）を獲得するステップであり、各検出信号は、異なる波長チャネルにおける波長依存性の反射または透過情報を含んでいる、ステップと、
少なくとも２つの第１帯域幅制限検出信号（Ｃｆ１）を獲得するように、第１フィルタを用いて前記少なくとも２つの検出信号（Ｃ）をフィルタするステップと、
前記少なくとも２つの第１帯域幅制限検出信号（Ｃｆ１）に係る重み付けされた結合に適用された場合に、低減された歪みを有する第１生命兆候信号（Ｓ１）を結果として生じる、重み付けを計算するステップと、
前記第１生命兆候信号（Ｓ１）とは異なる第２生命兆候信号（Ｓ２）を計算するステップであり、
前記第１帯域幅制限検出信号（Ｃｆ１）であり、前記第２生命兆候信号（Ｓ２）の周波数範囲を含む場合には、前記計算された重み付け（ｗ）を使用して、前記少なくとも２つの第１帯域幅制限検出信号（Ｃｆ１）の重み付けされた結合として前記第１生命兆候信号（Ｓ１）を計算し、かつ、前記第２生命兆候信号（Ｓ２）を獲得するために前記装置の第２フィルタユニットを用いて前記計算された第１生命兆候信号（Ｓ１）をフィルタするもの、または、そうでなければ、
前記計算された重み付け（ｗ）を使用する、少なくとも２つの第２帯域幅制限検出信号（Ｃｆ２）の重み付けされた結合であり、前記第２帯域幅制限検出信号は、前記装置のさらなる第２フィルタユニットを用いて前記少なくとも２つの検出信号（Ｃ）をフィルタすることによって獲得され、前記第１帯域幅制限検出信号（Ｃｆ１）とは異なるように帯域幅が制限されており、かつ、前記第２生命兆候信号（Ｓ２）の周波数範囲を含んでいるもの、
のいずれかを使用して計算する、ステップと、
前記第２生命兆候信号（Ｓ２）から生命兆候情報を判断する、ステップと、
を含む、方法。
【請求項１３】
プログラムコード手段を含んでいるコンピュータプログラムであって、コンピュータ上で前記コンピュータプログラムが実行されると、請求項１２に記載の方法のステップを前記コンピュータに実行させる、コンピュータプログラム。